(57)【要約】【課題】電源装置で発生する熱の器具本体への放熱効率を高めた照明器具を提供する。【解決手段】照明器具Ａは、天井材１００に取り付けられる器具本体１と、器具本体１に対して着脱自在に取り付けられる光源ユニット２とを備える。器具本体１は、天井材１００と反対側に光源ユニット２の少なくとも一部を収容するための凹部１１を有する。光源ユニット２は、複数のＬＥＤ２２２が実装された基板２２と、複数のＬＥＤ２２２に点灯電力を供給する電源装置２４とを具備する。電源装置２４は、少なくとも点灯電力を生成するための電子部品が実装された基板２４１と、基板２４１を収納するための収納ケース２４２とを具備する。収納ケース２４２は、光源ユニット２を器具本体１に取り付けた状態において凹部１１の側面部１１２に面接触する接触部２４２ａを有する。【選択図】図１
2014179210.tif 000002
【特許請求の範囲】
【請求項１】
造営材に取り付けられる器具本体と、前記器具本体に対して着脱自在に取り付けられる光源ユニットとを備え、
前記器具本体は、前記造営材と反対側に前記光源ユニットの少なくとも一部を収容するための凹部を有し、
前記光源ユニットは、複数の発光素子が実装された第１基板と、前記複数の発光素子に点灯電力を供給する電源装置とを具備し、
前記電源装置は、少なくとも前記点灯電力を生成するための電子部品が実装された第２基板と、前記第２基板を収納するための収納ケースとを具備し、
前記収納ケースは、前記光源ユニットを前記器具本体に取り付けた状態において前記凹部の内側面に面接触する接触部を有することを特徴とする照明器具。
【請求項２】
前記器具本体又は前記収納ケースの少なくとも一方が弾性材料からなり、
前記接触部は、前記凹部の内側面側に突出し、前記光源ユニットを前記器具本体に取り付けた状態において前記内側面と弾性接触することを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、吊ボルトなどを用いて天井に直付けされる器具本体と、器具本体に対して着脱自在に取り付けられるＬＥＤユニットと、ＬＥＤユニットを器具本体に取り付けるためのホルダとを備える。
【０００３】
器具本体は、長尺且つ矩形箱状に形成され、下面側にはＬＥＤユニットを収容するための凹部が全長に亘って設けられている。ホルダは、長尺且つ矩形板状に形成された支持部と、支持部の幅方向における両端から支持部と交差する方向に延出する一対の可撓部とでＵ字状に形成され、各可撓部の先端には係止片が一体に設けられている。
【０００４】
ＬＥＤユニットは、側面視の形状がＵ字状に形成された長尺状のブラケットと、複数のＬＥＤが長手方向に沿って実装されブラケットの下面に取り付けられる基板と、複数のＬＥＤに対して点灯電力を供給する電力変換部とを具備する。電力変換部は、商用電力を所望の直流電力に変換するための電子部品が実装された電源基板と、電源基板をブラケットに固定するためのケースとで構成される。また、ブラケットの幅方向における両側面には、各係止片がそれぞれ係合する一対の係止溝が設けられている。
【０００５】
そして、一体に組み付けたＬＥＤユニットをブラケット側から器具本体の凹部内へ収容していき、ホルダの各係止片をブラケットの対応する係止溝にそれぞれ係合させることで、ＬＥＤユニットが器具本体に取り付けられる。
【先行技術文献】
【特許文献】
【０００６】
【特許文献１】特開２０１１−１４２０６０号公報
【発明の概要】
【発明が解決しようとする課題】
【０００７】
上述の特許文献１に示した照明器具では、器具本体、ホルダ、ブラケット及びケースが金属製であり、ＬＥＤユニットを器具本体に取り付けた状態では、器具本体とケースとがブラケット及びホルダを介して熱的に結合する。そのため、電源基板で発生した熱をケース、ブラケット及びホルダを介して器具本体に放熱することができる。しかしながら、ブラケットとホルダが接触しているのは係止片と係止溝の係合部分のみであり、そのため器具本体への放熱効率がよくなかった。
【０００８】
本発明は上記問題点に鑑みて為されたものであり、その目的とするところは、電源装置で発生する熱の器具本体への放熱効率を高めた照明器具を提供することにある。
【課題を解決するための手段】
【０００９】
本発明の照明器具は、造営材に取り付けられる器具本体と、器具本体に対して着脱自在に取り付けられる光源ユニットとを備え、器具本体は、造営材と反対側に光源ユニットの少なくとも一部を収容するための凹部を有し、光源ユニットは、複数の発光素子が実装された第１基板と、複数の発光素子に点灯電力を供給する電源装置とを具備し、電源装置は、少なくとも点灯電力を生成するための電子部品が実装された第２基板と、第２基板を収納するための収納ケースとを具備し、収納ケースは、光源ユニットを器具本体に取り付けた状態において凹部の内側面に面接触する接触部を有することを特徴とする。
【００１０】
この照明器具において、器具本体又は収納ケースの少なくとも一方が弾性材料からなり、接触部は、凹部の内側面側に突出し、光源ユニットを器具本体に取り付けた状態において内側面と弾性接触するのが好ましい。
【発明の効果】
【００１１】
本発明の構成によれば、光源ユニットを器具本体に取り付けた状態では接触部が器具本体に面接触しており、収納ケースと器具本体の接触面積を大きくすることができるので、電源装置で発生する熱の器具本体への放熱効率を高めることができるという効果がある。
【図面の簡単な説明】
【００１２】
【図１】実施形態１の照明器具の断面図である。
【図２】同上の分解斜視図である。
【図３】同上の外観斜視図である。
【図４】同上に用いられる光源ユニットを模式的に表した斜視図である。
【図５】実施形態２の照明器具の断面図である。
【図６】同上に用いられる光源ユニットを模式的に表した斜視図である。
【図７】同上に用いられる別の光源ユニットを模式的に表した斜視図である。
【発明を実施するための形態】
【００１３】
以下に、照明器具の実施形態について図面を参照しながら説明する。
【００１４】
（実施形態１）
本実施形態の照明器具Ａは、図１に示すように天井直付け型の照明器具であり、吊ボルト（図示せず）を用いて天井材１００（造営材）に取り付けられる器具本体１と、器具本体１に対して着脱自在に取り付けられる光源ユニット２とを備える。なお、以下の説明では特に断りがない限り、図１に示す向きにおいて上下左右の方向を規定し、さらに図１中の紙面に垂直な方向を前後方向（手前側が前側）と規定して説明を行う。
【００１５】
器具本体１は、板金に曲げ加工を施すことで長尺且つ上面（天井材１００との対向面）が開口する扁平な箱状に形成され、天井材１００と反対側（下側）には光源ユニット２を収容するための矩形の凹部１１が全長に亘って設けられている（図２参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図１参照）。
【００１６】
また、凹部１１の底面部１１１には、電線を通すための孔１１１ａが前後方向（長手方向）に沿って複数（図２では５個）設けられ、さらに吊ボルトを通すための孔１１１ｂが前後方向における両端寄りにそれぞれ２個ずつ設けられている。また、凹部１１の底面部１１１には端子台（図示せず）が取り付けられ、端子台と後述する電源装置２４の間は電線により接続される。
【００１７】
光源ユニット２は、複数（図２では２個）の基板２２（第１基板）と、基板２２が取り付けられる取付部材２１と、基板２２を覆うようにして取付部材２１に取り付けられるカバー部材２３とを具備する。また、光源ユニット２は、基板２２に所定の点灯電力を供給する電源装置２４と、光源ユニット２を器具本体１に取り付けるための取付ばね２５（図４参照）とを具備する。
【００１８】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、一方（図２中の右側）の基板２２の前端部（図２中の右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。
【００１９】
また、各基板２２において隣接する基板２２と対向する端部には、電源供給用のコネクタ２２４が実装されている。そして、両基板２２，２２のコネクタ２２４，２２４を接続することで、一方（図２中の右側）の基板２２から他方（図２中の左側）の基板２２へ点灯電力を供給することができる。
【００２０】
取付部材２１は、板金に曲げ加工を施すことでＵ字状に形成され、長尺且つ矩形板状に形成された底面部２１１と、底面部２１１の左右方向（幅方向）における両端から上向きに延出する第１側面部２１２及び第２側面部２１３とで構成される。
【００２１】
第１側面部２１２の先端には、側方（図１中の右側）へ突出する突部２１２ａが全長に亘って設けられ、さらに第１側面部２１２の前後方向における両端寄りには、側方（図４中の左側）へ延出する一対の引掛片２１２ｂがそれぞれ設けられている。また、第２側面部２１３の先端には、側方（図１中の左側）へ突出する突部２１３ａが全長に亘って設けられている。
【００２２】
底面部２１１の前端部（図２中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。
【００２３】
なお、上述した基板２２は、例えば取付部材２１の底面部２１１の一部を切り起こすことで形成された係止爪（図示せず）により取付部材２１に固定される。
【００２４】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の拡散面２３１を有している（図１参照）。さらに、カバー部材２３の左右方向における両端部には、図１に示すように、光源ユニット２を器具本体１に取り付けた状態で、上下方向において器具本体１の凹部１１の開口端縁と重なる延出部２３２がそれぞれ設けられている。
【００２５】
また、カバー部材２３の左右方向において各延出部２３２の内側には、上向き（取付部材２１側）に延出する第１脚部２３３及び第２脚部２３４がそれぞれ全長に亘って設けられている。さらに、第１脚部２３３の先端には、側方（図１中の右側）に延出する引掛部２３３ａが設けられ、第２脚部２３４の先端には、側方（図１中の左側）に延出する引掛部２３４ａが設けられている。
【００２６】
電源装置２４は、電源基板２４１（第２基板）と、電源基板２４１を収納するための収納ケース２４２とを具備する。電源基板２４１は、前後方向に長い矩形板状に形成されたプリント基板２４１ａからなり、プリント基板２４１ａには、少なくともＬＥＤ２２２の点灯電力を生成するための電子部品（例えばトランスやダイオード、コンデンサなど）２４１ｂが実装されている。
【００２７】
収納ケース２４２は、図２に示すように、一面（取付部材２１の底面部２１１との対向面）が開口し且つ前後方向に長い矩形箱状に形成され、左右方向における一端側（図１中の左側）にはＬ字状の接触部２４２ａが一体に設けられている（図１及び図４参照）。この収納ケース２４２は、開口側が取付部材２１の底面部２１１と対向するようにして、例えばねじなどを用いて取付部材２１の底面部２１１に取り付けられる。
【００２８】
ここに、光源ユニット２の左右方向における一端側（図４中の右側）には、一対の取付ばね２５が前後方向における両端寄りにそれぞれ設けられ、一対の引掛片２１２ｂとともに光源ユニット２を器具本体１に取り付ける際に用いられる。
【００２９】
次に、光源ユニット２の組立手順について説明する。まず最初に、作業者は、電源装置２４を取付部材２１の底面部２１１の上面に固定し、さらに上記係止爪により２枚の基板２２，２２を取付部材２１の底面部２１１の下面に固定する。その後、作業者は、基板２２のコネクタ２２３から導出する電線を取付部材２１の底面部２１１に設けた孔２１１ａに通し、その端部を電源装置２４に接続する。
【００３０】
そして最後に、作業者は、開口側を上向きにした状態でカバー部材２３を取付部材２１に組み付ける。このとき、第１脚部２３３の引掛部２３３ａが第１側面部２１２の突部２１２ａと係合し、第２脚部２３４の引掛部２３４ａが第２側面部２１３の突部２１３ａと係合する。上述の手順により、光源ユニット２が組み立てられる。
【００３１】
続けて、照明器具Ａの施工手順について説明する。なお、以下の説明では、端子台が予め器具本体１に取り付けられているものとして説明する。まず最初に、作業者は、天井裏に先行配線された電源線（図示せず）を器具本体１の孔１１１ａに通し、さらに天井材１００より露出する吊ボルト（図示せず）を孔１１１ｂに通した後、ナット（図示せず）をねじ込んで器具本体１を天井材１００に固定する。
【００３２】
その後、作業者は、上記電源線の端部を上記端子台に接続し、さらに上記端子台と電源装置２４の間を電線により接続する。そして最後に、作業者は、各引掛片２１２ｂを対応する引掛孔１１２ａにそれぞれ引っ掛けた後、両引掛片２１２ｂ側を回動中心として光源ユニット２を回動させていき、各取付ばね２５を器具本体１の対応する係止部（図示せず）にそれぞれ係合させる。これにより、光源ユニット２が器具本体１に取り付けられ、照明器具Ａの施工が完了する（図１及び図３参照）。
【００３３】
ここで、従来の照明器具では、電源基板で発生した熱をブラケット及びホルダを介して器具本体に放熱する構成となっているが、ブラケットとホルダが接触しているのは係止片と係止溝の係合部分のみであり、そのため器具本体への放熱効率がよくなかった。
【００３４】
そこで、本実施形態では、図１に示すように、光源ユニット２を器具本体１に取り付けた状態において、収納ケース２４２に設けた接触部２４２ａを凹部１１の側面部１１２（内側面）に面接触させている。このように、電源装置２４の収納ケース２４２と器具本体１を面接触させることで、収納ケース２４２から器具本体１への放熱面積を大きくすることができ、これにより器具本体１への放熱効率を高めることができる。そして、器具本体１への放熱効率を高めることで、基板２４１に実装された電子部品２４１ｂの温度上昇を抑えることができ、信頼性の高い照明器具Ａを提供することができる。
【００３５】
なお、本実施形態では、収納ケース２４２の全長に亘って接触部２４２ａを設けたが、凹部１１の側面部１１２に面接触するようになっていればよく、接触部２４２ａの長さ寸法は収納ケース２４２の長さ寸法よりも長くてもいいし、短くてもよい。
【００３６】
（実施形態２）
照明器具Ａの実施形態２について図５〜図７を参照しながら説明する。なお、以下の説明では特に断りがない限り、図５に示す向きにおいて上下左右の方向を規定し、さらに図５中の紙面に垂直な方向を前後方向（手前側が前側）と規定して説明を行う。また、実施形態１と同様の構成については、同一の符号を付して説明を省略する。
【００３７】
本実施形態の照明器具Ａは、図５に示すように天井直付け型の照明器具であり、器具本体１と、光源ユニット２とを備える。また、光源ユニット２は、基板２２と、取付部材２１と、カバー部材２３と、電源装置２４と、取付ばね２５とを具備する。
【００３８】
電源装置２４は、基板２４１と収納ケース２４２とを具備し、収納ケース２４２の左右方向における一端側（図５中の左側）には、弾性材料によりＬ字状に形成された接触部２４２ａが一体に設けられている。つまり、本実施形態の接触部２４２ａは、弾性を有している点で実施形態１と相違している。
【００３９】
そして、光源ユニット２を器具本体１に取り付けた状態では、図５に示すように接触部２４２ａが変形することで、器具本体１の凹部１１の側面部１１２と弾性接触する。そして、接触部２４２ａと側面部１１２とが弾性接触することで、器具本体１と収納ケース２４２の密着性を高めることができ、その結果、電源装置２４で発生する熱の器具本体１への放熱効率をさらに高めることができる。また、器具本体１への放熱効率を高めることで、基板２４１に実装された電子部品２４１ｂの温度上昇を抑えることができ、信頼性の高い照明器具Ａを提供することができる。
【００４０】
なお、本実施形態では、接触部２４２ａの長さ寸法を収納ケース２４２の長さ寸法と同寸法に設定したが、図７に示すように、接触部２４２ａの長さ寸法を収納ケース２４２の長さ寸法よりも長くしてもよい。この場合、収納ケース２４２と器具本体１の接触面積をさらに大きくすることができ、放熱効率をさらに高めることができる。
【符号の説明】
【００４１】
１  器具本体
２  光源ユニット
１１  凹部
２２  基板（第１基板）
２４  電源装置
１００  天井材（造営材）
１１２  側面部（内側面）
２２２  ＬＥＤ（発光素子）
２４１  基板（第２基板）
２４２  収納ケース
２４２ａ  接触部
Ａ  照明器具
【図１】
2014179210.tif 000003
【図２】
2014179210.tif 000004
【図３】
2014179210.tif 000005
【図４】
2014179210.tif 000006
【図５】
2014179210.tif 000007
【図６】
2014179210.tif 000008
【図７】
2014179210.tif 000009